(57)【要約】【課題】本発明の課題は、アース接続を遵守すると共に低コスト化を実現することができる電気製品および電気製品組立方法を提供することにある。【解決手段】本発明に係る電気製品１００は、非充電金属部品１２３ｂ、爪部１２３ｃおよびアース線１６０を備える。非充電金属部品は、人が接触する可能性のある部品、例えば、外装部品、蓋等を開状態としたときに露出する部品等である。爪部は、非充電金属製であって、非充電金属部品から突起している。アース線は、爪部に接続されている。【選択図】図２
2013235712.tif 000002
【特許請求の範囲】
【請求項１】
非充電金属部品と、
前記非充電金属部品から突起する非充電金属製の爪部と、
前記爪部に接続されるアース線と
を備える、電気製品。
【請求項２】
前記爪部は、複数設けられ、
少なくとも１つの前記爪部は、前記非充電金属部品の固定に用いられ、
前記アース線は、少なくとも１つの前記爪部に接続される
請求項１に記載の電気製品。
【請求項３】
前記非充電金属部品の固定対象である固定対象体と、
前記アース線の端部に設けられる接続端子と
をさらに備え、
前記固定対象体には、前記爪部を挿入可能な挿入孔が形成されており、
前記挿入孔の開口寸法は、固定後の前記接続端子の寸法よりも小さい
請求項２に記載の電気部品。
【請求項４】
外部電源接続部をさらに備え、
前記アース線は、前記外部電源接続部に最も近い前記爪部に接続される
請求項１から３のいずれかに記載の電気部品。
【請求項５】
非充電金属部品から突起する非充電金属製の爪部を、前記非充填金属部品の固定対象体に形成される貫通孔に挿入する挿入工程と、
前記貫通孔に挿通された前記爪部に対して、固定後の寸法が前記貫通孔の開口寸法よりも大きい接続端子を固定するアース線接続工程と
を備える、電気製品の組立方法。
【発明の詳細な説明】
【技術分野】
【０００１】
本発明は、電気製品およびその組立方法に関する。
【背景技術】
【０００２】
過去に「リベットやネジを用いてアース線を非充電金属部品に接続する電気製品」が提案されている（例えば、特開平７−２６５２００号公報）。
【先行技術文献】
【特許文献】
【０００３】
【特許文献１】特開平７−２６５２００号公報
【発明の概要】
【発明が解決しようとする課題】
【０００４】
ところで、近年、電気製品においてＩＥＣ規格によりアース接続を遵守する必要があると共に、電気製品の低コスト化が求められている。
【０００５】
本発明の課題は、アース接続を遵守すると共に低コスト化を実現することができる電気製品および電気製品組立方法を提供することにある。
【課題を解決するための手段】
【０００６】
本発明の一局面に係る電気製品は、非充電金属部品、爪部およびアース線を備える。非充電金属部品とは、人が接触する可能性のある部品、例えば、外装部品、蓋等を開状態としたときに露出する部品等である。爪部は、非充電金属製であって、非充電金属部品から突起している。アース線は、爪部に接続されている。
【０００７】
このため、この電気製品では、アース線の接続端子として圧着端子等を採用し、その圧着端子を爪部に圧着固定させれば、リベットやネジを用いることなくアース線を非充電金属部品に接続することができる。このため、この電気製品は、アース接続を遵守すると共に低コスト化を実現することができる。
【０００８】
なお、この電気製品において、爪部は複数設けられることが好ましい。そして、少なくとも１つの爪部が非充電金属部品の固定に用いられ、アース線が少なくとも１つの爪部に接続されることが好ましい。かかる場合、アース線は、非充電金属部品の固定に用いられる爪部に接続されてもよいし、非充電金属部品の固定に用いられない爪部に接続されてもよい。
【０００９】
また、この電気製品は、固定対象体および接続端子をさらに備えることが好ましい。固定対象体は、非充電金属部品の固定対象である。なお、この固定対象体は、外装部品、内部部品のいずれであってもよい。接続端子は、アース線の端部に設けられる。なお、この接続端子は、圧着端子等である。そして、この固定対象体には、爪部を挿入可能な挿入孔が形成されている。また、挿入孔の開口寸法は、固定後の接続端子の寸法よりも小さい。なお、挿入孔の開口が矩形である場合、挿入孔の開口の幅および奥行きの少なくともいずれかが固定後の接続端子の寸法よりも小さければよいが、挿入孔の両寸法が固定後の接続端子の寸法よりも小さい方が好ましい。また、挿入孔の開口が円形である場合、挿入孔の開口の半径が接続後の接続端子の寸法よりも小さければよい。
【００１０】
また、この電気製品は、外部電源接続部をさらに備えることが好ましい。そして、アース線は、外部電源接続部に最も近い爪部に接続される。なお、アース接続用の爪部は、外部電源接続部から最短距離となる位置に設けられることが好ましい。電気製品をこのように設計すれば、アース線の配線が簡素になると共にアース線の抵抗値が小さくなり、延いてはアース導通性を良好にすることができ、さらには電源端子ノイズも軽減される。
【００１１】
また、本発明の他の局面に係る電気製品組立方法は、挿入工程およびアース線接続工程を備える。挿入工程では、非充電金属部品から突起する非充電金属製の爪部が、非充填金属部品の固定対象体に形成される貫通孔に挿入される。アース線接続工程では、貫通孔に挿通された爪部に対して、固定後の寸法が貫通孔の開口寸法よりも大きい接続端子が固定される。
【００１２】
このため、この電気製品組立方法を利用すると、アース線の接続および非充電金属部品の固定を同時に達成することができる。したがって、電気製品の組立工程を簡素化することができる。
【図面の簡単な説明】
【００１３】
【図１】本発明の実施の形態に係る炊飯器の縦断面図である。
【図２】図１のＡ部分の拡大断面図である。
【図３】本願発明を適用した他の炊飯器の縦断面図である。
【図４】本願発明を適用した電気ポットの縦断面図である。
【図５】本願発明を適用した加湿器の縦断面図である。
【発明を実施するための形態】
【００１４】
＜本発明の実施の形態に係る炊飯器の構造＞
本発明の実施の形態に係る炊飯器１００は、誘導加熱式の炊飯器であって、図１に示されるように、主に、本体１１０、蓋体１３０およびヒンジ機構１４０から構成される。蓋体１３０は、ヒンジ機構１４０を介して本体１１０に回動自在に取り付けられる。なお、蓋体１３０およびヒンジ機構１４０は、従前の構成の通りである。このため、以下、蓋体１３０およびヒンジ機構１４０の説明を省略する。
【００１５】
本体１１０は、図１に示されるように、主に、外ケース１０１、内ケース１２０、底板１０３、操作パネル１０４、誘導加熱コイル１０５、サーミスタ１０６、電源基板（図示せず）および制御基板１０７から構成される。なお、これらの構成要素のうち内ケース１２０以外は、従前の構成の通りである。このため、以下、内ケース１２０以外の構成要素の説明を省略する。
【００１６】
内ケース１２０は、図２に示されるように、主に、一般にカタと呼ばれる上周縁部１２１、保護枠１２２およびカタヒータ１２３から構成される。保護枠１２２は、図２に示されるように、上周縁部１２１の下に配置されており、内鍋収容時、内鍋１５０の外周を保護している。カタヒータ１２３は、図２に示されるように、主に、ヒータ本体１２３ａ、ヒータ収容体１２３ｂ、爪部１２３ｃおよび取付枠１２３ｄから構成される。ヒータ本体１２３ａは、線状ヒータである。ヒータ収容体１２３ｂは、平面視において略円弧状を呈する一対の部材であって、非充電金属から形成されており、図２に示されるように、内部にヒータ本体１２３ａを収容する。なお、このヒータ収容体１２３ｂは、蓋体１３０が開状態とされたときにおいて露出し、人が接触する可能性がある。爪部１２３ｃは、ヒータ収容体１２３ｂの内側壁下端から下方に延びている。なお、この爪部１２３ｃは、ヒータ収容体１２３ｂの形成素材と同一の非充電金属から形成されており、ヒータ収容体１２３ｂと一体に形成されている。また、本発明の実施の形態において、爪部１２３ｃは複数形成されており、そのうちの一つに圧着端子１６１を介してアース線１６０が接続される（図２参照）。なお、このとき、ヒータ収容体１２３ｂが取付枠１２３ｄに固定される。残りの爪部１２３ｃは、専ら、ヒータ収容体１２３ｂの取付枠１２３ｄへの固定に利用されている。また、アース線接続用の爪部１２３ｃは、図示しない外部電源接続部側に形成されることが好ましく、外部電源接続部（図示せず）から最短距離となるように形成されることがより好ましい。また、本実施の形態において、ヒータ収容体１２３ｂは、一対すなわち２つ存在する。この際、本体１１０の同方向にアース線１６０を配線することができる位置にアース線接続用の爪部１２３ｃが設けられることが好ましい。また、アース線１６０は、バンド等を利用して誘導加熱コイル１０５に接触しないように配線されることが好ましい。取付枠１２３ｄは、円環状の樹脂成形体であって、ヒータ収容体１２３ｂを固定する役目を担う。この取付枠１２３ｄには、爪部１２３ｃに対応する位置に挿入孔１２３ｅが形成されている。つまり、取付枠１２３ｄへのヒータ収容体１２３ｂの組み付け時、この挿入孔１２３ｅに爪部１２３ｃが挿入される。なお、この挿入孔１２３ｅは、矩形の開口を有している。そして、この開口の奥行き寸法は、爪部１２３ｃに圧着端子が固定されたときの圧着端子の厚みよりも小さくなるように設計されている。
【００１７】
以下、爪部１２３ｃを用いたヒータ収容体１２３ｂの取付枠１２３ｄへの固定方法およびアース線接続方法について説明する。
【００１８】
＜ヒータ収容体の取付枠への固定方法およびアース線接続方法＞
先ず、爪部１２３ｃを取付枠１２３ｄの挿入孔１２３ｅに挿入する。
【００１９】
次に、アース線１６０を接続する爪部１２３ｃを外側に若干折り曲げた後、その爪部１２３ｃに圧着端子１６１を差し込む。なお、このとき、外部電源接続部（図示せず）に最も近い爪部１２３ｃを選択することが好ましい。そして、この圧着端子１６１を専用冶具で爪部１２３ｃに圧着する。このとき、同時に、ヒータ収容体１２３ｂが取付枠１２３ｄに固定される。
【００２０】
そして、アース線１６０を接続しない爪部１２３ｃを全て外側に折り曲げて、ヒータ収容体１２３ｂを取付枠１２３ｄに固定する。
【００２１】
なお、上記２つの固定作業は、前後して行われてもかまわない。
【００２２】
＜本発明の実施の形態に係る炊飯器の特徴＞
（１）
本発明の実施の形態に係る炊飯器１００では、複数の爪部１２３ｃの一つに圧着端子１６１を介してアース線１６０が接続される。このため、この炊飯器１００では、リベットやネジを用いることなくアース線１６０をヒータ収容体１２３ｂに接続することができる。このため、この炊飯器１００は、アース接続を遵守すると共に低コスト化を実現することができる。
【００２３】
（２）
本発明の実施の形態に係るアース線接続方法では、爪部１２３ｃを取付枠１２３ｄの挿入孔１２３ｅに挿入した後、その爪部１２３ｃに圧着端子１６１を差し込み、その圧着端子１６１を専用冶具で爪部１２３ｃに圧着すると、アース線１６０の接続およびヒータ収容体１２３ｂの取付枠１２３ｄへの固定が同時に行われる。このため、このアース線接続方法を利用すれば、炊飯器１００の組立作業を簡素化することができる。
【００２４】
＜変形例＞
（Ａ）
先の実施の形態に係る炊飯器１００では爪部１２３ｃがヒータ収容体１２３ｂの形成素材と同一の非充電金属から形成されていたが、爪部１２３ｃは、ヒータ収容体１２３ｂと異なる非充電金属から形成されてもかまわない。
【００２５】
（Ｂ）
先の実施の形態に係る炊飯器１００では挿入孔１２３ｅの開口の奥行き寸法が、爪部１２３ｃに圧着端子が固定されたときの圧着端子の厚みよりも小さくなるように設計されていたが、挿入孔１２３ｅの開口の幅寸法が、爪部１２３ｃに圧着端子が固定されたときの圧着端子の幅寸法よりも小さくなるように設計されてもよいし、挿入孔１２３ｅの開口の幅寸法および奥行き寸法が、爪部１２３ｃに圧着端子が固定されたときの圧着端子の幅寸法および厚みよりも小さくなるように設計されてもよい。
【００２６】
（Ｃ）
先の実施の形態に係る炊飯器１００では特に言及しなかったが、アース線１６０は、単線であってもよいし、分岐線であってもよい。
【００２７】
（Ｄ）
先の実施の形態では本願発明が炊飯器１００のカタヒータ１２３に適用されたが、本願発明は、図３に示されるように炊飯器１００ａの蓋体１３０ａに適用されてもよい。蓋体１３０ａには非充電金属製の内蓋１３１が設けられており、その内蓋１３１の上に蓋ヒータ１３２が配設されている（図３参照）。内蓋１３１には爪部１３１ａが複数形成されており、この爪部１３１ａが図３に示されるように外側に折り返されることによって内蓋１３１が取付枠１３３に固定される。そして、このように取付枠１３３に固定された内蓋１３１のいずれかの爪部１３１ａに圧着端子１６１ａを介してアース線１６０ａが接続される。
【００２８】
（Ｅ）
先の実施の形態では本願発明が炊飯器１００に適用されたが、本願発明は、あらゆる電気製品に適用することができる。例えば、本願発明は、図４に示されるように電気ポット１００ｂに適用されてもよいし、図５に示されるように加湿器１００ｃに適用されてもよい。
【００２９】
図４に示される電気ポット１００ｂでは、非充電金属製のメインパネル１７０に対して本願発明が適用される。メインパネル１７０は、図４に示されるように、主に、本体１７１、引掛爪部１７２および爪部１７３から形成されている。引掛爪部１７２は、本体１７１の上部に複数設けられており、爪部１７３は、本体１７１の下部に複数設けられている。そして、引掛爪部１７２が本体１８０の前面上部に引っ掛けられ後、爪部１７３が図４に示されるように内側に折り返されることによってメインパネル１７０が本体１８０の前面に取り付けられる。そして、この本体１８０の前面に固定されたメインパネル１７０のいずれかの爪部１７３に圧着端子１６１ｂを介してアース線１６０ｂが接続される。
【００３０】
また、図５に示される加湿器１００ｃでも、上述の電気ポット１００ｂと同様に、非充電金属製のメインパネル１９０に対して本願発明が適用される。なお、図５中、符号１９１が爪部を示し、符号１９２が引掛爪部を示し、符号１９３が操作スイッチを示し、符号１６０ｃがアース線を示し、符号１６１ｃが圧着端子を示す。
【符号の説明】
【００３１】
１００，１００ａ      炊飯器（電気製品）
１００ｂ      電気ポット（電気製品）
１００ｃ      加湿器（電気製品）
１２３ｂ      ヒータ収容体（非充電金属部品）
１２３ｃ，１３１ａ，１７３，１９１      爪部
１２３ｄ，１３３      取付枠（固定対象体）
１２３ｅ      挿入孔
１３１        内蓋（非充電金属部品）
１６０，１６０ａ，１６０ｂ，１６０ｃ      アース線
１６１，１６１ａ，１６１ｂ，１６１ｃ      圧着端子（接続端子）
１８０      本体（固定対象体）
【図１】
2013235712.tif 000003
【図２】
2013235712.tif 000004
【図３】
2013235712.tif 000005
【図４】
2013235712.tif 000006
【図５】
2013235712.tif 000007